【手続補正書】
【提出日】平成16年5月17日(2004.5.17)
【手続補正１】
【補正対象書類名】特許請求の範囲
【補正対象項目名】全文
【補正方法】変更
【補正の内容】
【特許請求の範囲】
【請求項１】
硫黄含有ポリウレアウレタンであって、少なくとも部分的に硬化された場合に、少なくとも１．５７の屈折率、少なくとも３５のアッベ数および１．３ｇ／ｃｍ３未満の密度を有する、硫黄含有ポリウレアウレタン。
【請求項２】
少なくとも２ジュールの衝突強度をさらに含む、請求項１に記載の硫黄含有ポリウレアウレタン。
【請求項３】
請求項１に記載の硫黄含有ポリウレアウレタンであって、以下の（ａ）〜（ｃ）の反応生成物：
（ａ）ポリウレアウレタンプレポリマーであって、該ポリウレアウレタンプレポリマーは、ポリシアネートおよび少なくとも１種の水素含有物質を含有し、該水素含有物質は、ＯＨ含有物質、ＳＨ含有物質およびそれらの混合物から選択される、ポリウレアウレタンプレポリマー；
（ｂ）少なくとも１種のエピスルフィド含有物質；ならびに、
（ｃ）アミン含有硬化剤、
を含有する、硫黄含有ポリウレアウレタン。
【請求項４】
前記ポリシアネートは、ポリイソシアネート、ポリイソチオシアネートおよびそれらの混合物から選択される、請求項３に記載の硫黄含有ポリウレアウレタン。
【請求項５】
請求項４に記載の硫黄含有ポリウレアウレタンであって、前記ポリシアネートは、脂肪族ポリイソシアネート、脂環式ポリイソシアネート、芳香族ポリイソシアネート、およびそれらの混合物から選択される、硫黄含有ポリウレアウレタン。
【請求項６】
請求項５に記載の硫黄含有ポリウレアウレタンであって、前記ポリシアネートは、脂肪族ジイソシアネート、脂環式ジイソシアネート、芳香族ジイソシアネート、それらの環式二量体および環式三量体、ならびにそれらの混合物から選択される、硫黄含有ポリウレアウレタン。
【請求項７】
前記ポリシアネートは、シクロヘキシルメタンおよびその異性体混合物から選択される、請求項５に記載の硫黄含有ポリウレアウレタン物質。
【請求項８】
請求項５に記載の硫黄含有ポリウレアウレタンであって、前記ポリシアネートは、４，４’−メチレンビス（シクロヘキシルイソシアネート）のトランス，トランス異性体から選択される、硫黄含有ポリウレアウレタン。
【請求項９】
請求項５に記載の硫黄含有ポリウレアウレタンであって、前記ポリシアネートが、３−イソシアナト−メチル−３，５，５−トリメチルシクロヘキシル−イソシアネート；メタ−テトラメチルキシレンジイソシアネート（１，３−ビス（１−イソシアナト−１−メチルエチル）−ベンゼン）およびこれらの混合物から選択される、硫黄含有ポリウレアウレタン。
【請求項１０】
請求項３に記載の硫黄含有ポリウレアウレタンであって、前記水素含有物質は、ポリオール、ポリチオール、ならびにヒドロキシル官能基およびチオール官能基の両方を有する物質から選択される、硫黄含有ポリウレアウレタン。
【請求項１１】
請求項１０に記載の硫黄含有ポリウレアウレタンであって、前記水素含有物質は、ポリエステルポリオール、ポリカプロラクトンポリオール、ポリエーテルポリオール、ポリカーボネートポリオール、およびそれらの混合物から選択される、硫黄含有ポリウレアウレタン。
【請求項１２】
請求項３に記載の硫黄含有ポリウレアウレタンであって、前記水素含有物質は、２００〜３２，０００の重量平均分子量を有する、硫黄含有ポリウレアウレタン。
【請求項１３】
請求項１２に記載の硫黄含有ポリウレアウレタンであって、前記水素含有物質は、約２，０００〜１５，０００の重量平均分子重量を有する、硫黄含有ポリウレアウレタン。
【請求項１４】
請求項３に記載の硫黄含有ポリウレアウレタンであって、前記プレポリマーは、２．０〜４．５未満のＮＣＯ／ＯＨ当量比を有する、硫黄含有ポリウレアウレタン。
【請求項１５】
請求項３に記載の硫黄含有ポリウレアウレタンであって、前記水素含有物質は、ポリエーテルポリオール由来のブロック部分を含む、硫黄含有ポリウレアウレタン。
【請求項１６】
請求項１５に記載の硫黄含有ポリウレアウレタンであって、前記ポリエーテルポリオールは、以下の式：
Ｈ−（Ｏ−ＣＲＲＣＲＲ−Ｙｎ）ａ−（ＣＲＲＣＲＲ−Ｙｎ−Ｏ）ｂ−（ＣＲＲＣＲＲ−Ｙｎ−Ｏ）ｃ−Ｈ
を含み、ここでＲは、水素、またはＣ１〜Ｃ６アルキルを表し得；Ｙは、ＣＨ２を表し得；ｎは、０〜６の整数であり得；ａ、ｂ、およびｃは各々、０〜３００の整数であり得、ここで、ａ、ｂおよびｃは、該ポリオールの重量平均分子量が３２，０００を超えないように選択される、硫黄含有ポリウレアウレタン。
【請求項１７】
請求項１０に記載の硫黄含有ポリウレアウレタンであって、前記ポリチオールは、脂肪族ポリチオール、脂環式ポリチオール、芳香族ポリチオール、重合体ポリチオール、エーテル結合を含むポリチオール、スルフィド結合を含むポリチオール、ポリスルフィド結合を含むポリチオールから選択される、硫黄含有ポリウレアウレタン。
【請求項１８】
請求項３に記載の硫黄含有ポリウレアウレタンであって、前記エピスルフィド含有物質のうちの少なくとも１つは、以下の部分：
【化１】
2005509703.tif 000001
を含む、硫黄含有ポリウレアウレタン。
【請求項１９】
請求項３に記載の硫黄含有ポリウレアウレタンであって、前記アミン含有硬化剤は、以下の化学式：
【化２】
2005509703.tif 000002
を有する物質およびその混合物から選択され、ここで、Ｒ１およびＲ２は、各々独立して、メチル基、エチル基、プロピル基、およびイソプロピル基から選択され、そしてＲ３は、水素および塩素から選択される、硫黄含有ポリウレアウレタン。
【請求項２０】
前記アミン含有硬化剤は、４，４’−メチレンビス（３−クロロ−２，６−ジエチルアニリン）である、請求項３に記載の硫黄含有ポリウレアウレタン。
【請求項２１】
前記アミン含有硬化剤は、２，４−ジアミノ−３，５−ジエチル−トルエン；２，６−ジアミノ−３，５−ジエチル−トルエンおよびそれらの混合物から選択される、請求項３に記載の硫黄含有ポリウレアウレタン。
【請求項２２】
前記アミン含有硬化剤は、１．０  ＮＣＯ／０．６０  ＮＨ２〜１．０  ＮＣＯ／１．２０  ＮＨ２のＮＣＯ／ＮＨ２当量比を有する、請求項３に記載の硫黄含有ポリウレアウレタン。
【請求項２３】
前記アッベ数は、少なくとも３９である、請求項１に記載の硫黄含有ポリウレアウレタン。
【請求項２４】
前記屈折率は、少なくとも１．６０である、請求項１に記載の硫黄含有ポリウレアウレタン。
【請求項２５】
前記密度は、１．２５ｇ／ｃｍ３未満である、請求項１に記載の硫黄含有ポリウレアウレタン。
【請求項２６】
硫黄含有ポリウレアウレタンを調製するための方法であって、該方法は、以下の（ａ）〜（ｃ）工程：
（ａ）ポリシアネートおよび少なくとも１種の水素含有物質を含むポリウレアウレタンプレポリマーを反応させる工程であって、該水素含有物質は、ポリオール、ポリチオール、ならびにヒドロキシル官能基およびチオール官能基の両方を有する物質から選択される、工程；
（ｂ）該プレポリマーを、少なくとも１種のエピスルフィド含有物質と反応させる工程；ならびに、
（ｃ）工程（ｂ）からの混合物をアミン含有硬化剤と反応させる工程、
を包含し、ここで、少なくとも部分的に硬化された場合、少なくとも１．５７の屈折率、少なくとも３５のアッベ数および１．３ｇ／ｃｍ３未満の密度を有する、
方法。
【請求項２７】
少なくとも２ジュールの衝突強度をさらに含む、請求項２６に記載の方法。
【請求項２８】
前記ポリシアネートは、ポリイソシアネート、ポリイソチオシアネートおよびそれらの混合物から選択される、請求項２６に記載の方法。
【請求項２９】
前記ポリシアネートは、脂肪族ポリイソシアネート、脂環式ポリイソシアネート、芳香族ポリイソシアネート、およびそれらの混合物から選択される、請求項２８に記載の方法。
【請求項３０】
前記ポリシアネートは、脂肪族ジイソシアネート、脂環式ジイソシアネート、芳香族ジイソシアネート、それらの環式二量体および環式三量体、ならびにそれらの混合物から選択される、請求項２９に記載の方法。
【請求項３１】
前記ポリイソシアネートは、シクロヘキシルメタンおよびその異性体混合物から選択される、請求項２９に記載の方法。
【請求項３２】
前記ポリイソシアネートは、４，４’−メチレンビス（シクロヘキシルイソシアネート）のトランス，トランス異性体から選択される、請求項２９に記載の方法。
【請求項３３】
前記ポリイソシアネートは、３−イソシアナト−メチル−３，５，５−トリメチルシクロヘキシル−イソキシアネート；メタ−テトラメチルキシレンジイソシアネート（１，３−ビス（１−イソシアネート−１−メチルエチル）−ベンゼン）およびそれらの混合物から選択される、請求項２９に記載の方法。
【請求項３４】
前記水素含有物質は、ポリエステルポリオール、ポリカプロラクトンポリオール、ポリエーテルポリオール、ポリカーボネートポリオール、およびそれらの混合物から選択される、請求項２６に記載の方法。
【請求項３５】
前記水素含有物質は、２００〜３２，０００の重量平均分子量を有する、請求項２６に記載の方法。
【請求項３６】
前記水素含有物質は、約２，０００〜１５，０００の重量平均分子重量を有する、請求項３５に記載の方法。
【請求項３７】
前記プレポリマーは、２．０〜４．５未満のＮＣＯ／ＯＨ当量比を有する、請求項２６に記載の方法。
【請求項３８】
前記水素含有物質は、ポリエーテルポリオール由来のブロック部分を含む、請求項２６に記載の方法。
【請求項３９】
請求項３８に記載の方法であって、前記ポリエーテルポリオールは、以下の式：
Ｈ−（Ｏ−ＣＲＲＣＲＲ−Ｙｎ）ａ−（ＣＲＲＣＲＲ−Ｙｎ−Ｏ）ｂ−（ＣＲＲＣＲＲ−Ｙｎ−Ｏ）ｃ−Ｈ
を含み、ここでＲは、水素、またはＣ１〜Ｃ６アルキルを表し得；Ｙは、ＣＨ２で表され得；ｎは、０〜６の整数であり得；ａ、ｂ、およびｃは各々、０〜３００の整数であり得、ここで、ａ、ｂおよびｃは、該ポリオールの重量平均分子量が３２，０００を超えないように選択される、方法。
【請求項４０】
前記ポリチオールは、脂肪族ポリチオール、脂環式ポリチオール、芳香族ポリチオール、重合体ポリチオール、エーテル結合を含むポリチオール、スルフィド結合を含むポリチオール、ポリスルフィド結合を含むポリチオールから選択される、請求項２６に記載の方法。
【請求項４１】
前記エピスルフィド含有物質のうちの少なくとも１つは、以下の部分：
【化３】
2005509703.tif 000003
を含む、請求項２６に記載の方法。
【請求項４２】
請求項２６に記載の方法であって、前記アミン含有硬化剤は、以下の化学式：
【化４】
2005509703.tif 000004
を有する物質およびその混合物から選択され、ここで、Ｒ１およびＲ２は、各々独立して、メチル基、エチル基、プロピル基、およびイソプロピル基から選択され、そしてＲ３は、水素および塩素から選択される、方法。
【請求項４３】
前記アミン含有硬化剤は、４，４’−メチレンビス（３−クロロ−２，６−ジエチルアニリン）である、請求項２６に記載の方法。
【請求項４４】
前記アミン含有硬化剤は、２，４−ジアミノ−３，５−ジエチル−トルエン；２，６−ジアミノ−３，５−ジエチル−トルエンおよびそれらの混合物から選択される、請求項２６に記載の方法。
【請求項４５】
前記アミン含有硬化剤は、１．０  ＮＣＯ／０．６０  ＮＨ２〜１．０  ＮＣＯ／１．２０  ＮＨ２のＮＣＯ／ＮＨ２当量比を有する、請求項２６に記載の方法。
【請求項４６】
前記アッベ数は、少なくとも３９である、請求項１に記載の硫黄含有ポリウレアウレタン。
【請求項４７】
前記屈折率は、少なくとも１．６０である、請求項１に記載の硫黄含有ポリウレアウレタン。
【請求項４８】
前記密度は、１．２５ｇ／ｃｍ３未満である、請求項１に記載の硫黄含有ポリウレアウレタン。
【請求項４９】
硫黄含有ポリウレアウレタンを含む光学物品であって、該ポリウレアウレタンは、少なくとも部分的に硬化された場合に、少なくとも１．５７の屈折率、少なくとも３５のアッベ数および１．３ｇ／ｃｍ３未満の密度を有する、光学物品。
【請求項５０】
少なくとも２ジュールの衝突強度をさらに含む、請求項４９に記載の光学物品。
【請求項５１】
硫黄含有ポリウレアウレタンを含むフォトクロミック物品であって、該ポリウレアウレタンは、少なくとも部分的に硬化された場合に、少なくとも１．５７の屈折率、少なくとも３５のアッベ数および１．３ｇ／ｃｍ３未満の密度を有する、フォトクロミック物品。
【請求項５２】
少なくとも２ジュールの衝突強度をさらに含む、請求項５１に記載のフォトクロミック物品。
【請求項５３】
硫黄含有ポリウレアウレタンであって、以下の（ａ）〜（ｃ）の反応生成物：
（ａ）ポリウレアウレタンプレポリマーであって、該ポリウレアウレタンプレポリマーは、ポリシアネートおよび少なくとも１種の水素含有物質を含有し、該水素含有物質は、ポリオール、ポリチオール、ならびにヒドロキシル官能基およびチオール官能基の両方を有する物質から選択される、ポリウレアウレタンプレポリマー；
（ｂ）少なくとも１種のエピスルフィド含有物質；ならびに、
（ｃ）アミン含有硬化剤
を含み、ここで、少なくとも部分的に硬化された場合に、少なくとも１．５７の屈折率、少なくとも３５のアッベ数および１．３ｇ／ｃｍ３未満の密度を有する、硫黄含有ポリウレアウレタン。
【請求項５４】
少なくとも２ジュールの衝突強度をさらに含む、請求項５３に記載の硫黄含有ポリウレアウレタン。
【請求項５５】
前記ポリシアネートは、ポリイソシアネート、ポリイソチオシアネートおよびそれらの混合物から選択される、請求項５３に記載の硫黄含有ポリウレアウレタン。
【請求項５６】
前記ポリシアネートは、脂肪族ポリイソシアネート、脂環式ポリイソシアネート、芳香族ポリイソシアネート、およびそれらの混合物から選択される、請求項５５に記載の硫黄含有ポリウレアウレタン。
【請求項５７】
前記ポリシアネートは、脂肪族ジイソシアネート、脂環式ジイソシアネート、芳香族ジイソシアネート、それらの環式二量体および環式三量体、ならびにそれらの混合物から選択される、請求項５５に記載の硫黄含有ポリウレアウレタン。
【請求項５８】
前記ポリシアネートは、シクロヘキシルメタンおよびその異性体混合物から選択される、請求項５５に記載の硫黄含有ポリウレアウレタン物質。
【請求項５９】
前記ポリシアネートは、４，４’−メチレンビス（シクロヘキシルイソシアネート）のトランス，トランス異性体から選択される、請求項５５に記載の硫黄含有ポリウレアウレタン。
【請求項６０】
前記ポリシアネートは、３−イソシアネート−メチル−３，５，５−トリメチルシクロヘキシル−イソキシアネート；メタ−テトラメチルキシレンジイソシアネート（１，３−ビス（１−イソシアネート−１−メチルエチル）−ベンゼン）およびそれらの混合物から選択される、請求項５５に記載の硫黄含有ポリウレアウレタン。
【請求項６１】
前記水素含有物質は、ポリオール、ポリチオール、ならびにヒドロキシル官能基およびチオール官能基の両方を有する物質から選択される、請求項５３に記載の硫黄含有ポリウレアウレタン。
【請求項６２】
前記水素含有物質は、ポリエステルポリオール、ポリカプロラクトンポリオール、ポリエーテルポリオール、ポリカーボネートポリオール、およびそれらの混合物から選択される、請求項６１に記載の硫黄含有ポリウレアウレタン。
【請求項６３】
前記水素含有物質は、２００〜３２，０００の重量平均分子量を有する、請求項５３に記載の硫黄含有ポリウレアウレタン。
【請求項６４】
前記水素含有物質は、約２，０００〜１５，０００の重量平均分子量を有する、請求項６３に記載の硫黄含有ポリウレアウレタン。
【請求項６５】
前記プレポリマーは、２．０〜４．５未満のＮＣＯ／ＯＨ当量比を有する、請求項５３に記載の硫黄含有ポリウレアウレタン。
【請求項６６】
前記水素含有物質は、ポリエーテルポリオール由来のブロック部分を含む、請求項５３に記載の硫黄含有ポリウレアウレタン。
【請求項６７】
請求項６６に記載の硫黄含有ポリウレアウレタンであって、前記ポリエーテルポリオールは、以下の式：
Ｈ−（Ｏ−ＣＲＲＣＲＲ−Ｙｎ）ａ−（ＣＲＲＣＲＲ−Ｙｎ−Ｏ）ｂ−（ＣＲＲＣＲＲ−Ｙｎ−Ｏ）ｃ−Ｈ
を含み、ここでＲは、水素、またはＣ１〜Ｃ６アルキルを表し得；Ｙは、ＣＨ２を表し得；ｎは、０〜６の整数であり得；ａ、ｂ、およびｃは各々、０〜３００の整数であり得、ここで、ａ、ｂおよびｃは、該ポリオールの重量平均分子量が３２，０００を超えないように選択される、硫黄含有ポリウレアウレタン。
【請求項６８】
前記ポリチオールは、脂肪族ポリチオール、脂環式ポリチオール、芳香族ポリチオール、重合体ポリチオール、エーテル結合を含むポリチオール、スルフィド結合を含むポリチオール、ポリスルフィド結合を含むポリチオールから選択される、請求項６１に記載の硫黄含有ポリウレアウレタン。
【請求項６９】
前記エピスルフィド含有物質のうちの少なくとも１つは、以下の部分：
【化５】
2005509703.tif 000005
を含む、請求項５３に記載の硫黄含有ポリウレアウレタン。
【請求項７０】
請求項５３に記載の硫黄含有ポリウレアウレタンであって、前記アミン含有硬化剤は、以下の化学式：
【化６】
2005509703.tif 000006
を有する物質およびその混合物から選択され、ここで、Ｒ１およびＲ２は、各々独立して、メチル基、エチル基、プロピル基、およびイソプロピル基から選択され、そしてＲ３は、水素および塩素から選択される、硫黄含有ポリウレアウレタン。
【請求項７１】
前記アミン含有硬化剤は、４，４’−メチレンビス（３−クロロ−２，６−ジエチルアニリン）である、請求項５３に記載の硫黄含有ポリウレアウレタン。
【請求項７２】
前記アミン含有硬化剤は、２，４−ジアミノ−３，５−ジエチル−トルエン；２，６−ジアミノ−３，５−ジエチル−トルエンおよびそれらの混合物から選択される、請求項５３に記載の硫黄含有ポリウレアウレタン。
【請求項７３】
前記アミン含有硬化剤は、１．０  ＮＣＯ／０．６０  ＮＨ２〜１．０  ＮＣＯ／１．２０  ＮＨ２のＮＣＯ／ＮＨ２当量比を有する、請求項５３に記載の硫黄含有ポリウレアウレタン。
【請求項７４】
前記アッベ数は、少なくとも３９である、請求項５３に記載の硫黄含有ポリウレアウレタン。
【請求項７５】
前記屈折率は、少なくとも１．６０である、請求項５３に記載の硫黄含有ポリウレアウレタン。
【請求項７６】
前記密度は、１．２５ｇ／ｃｍ３未満である、請求項５３に記載の硫黄含有ポリウレアウレタン。